(57)【要約】【課題】本体（４）とタンパーエビデント裾部（６）からなる容器蓋（２）において、容器の口頸部（５２）から離脱せしめられた本体をタンパーエビデント裾部に対して旋回せしめる際に、突出片（３２）が係止あご部（５６）を乗り越えるのに先立って、タンパーエビデント裾部の内周面に配設されている係止手段（２２）の存在に起因して音が生成されるのを回避すること。【解決手段】突出片が存在する角度位置において、弧状係止片（２４）或いは環状係止片の少なくとも延出端部の厚さを低減せしめて、タンパーエビデント裾部の局部的強度低減を可及的に抑制して係止手段が突出片に干渉するのを回避し、係止手段が突出片に干渉することに起因して音が生成されるのを回避する。【選択図】図６
2014031202.tif 000002
【特許請求の範囲】
【請求項１】
口頸部の外周面には雄螺条及び該雄螺条の下方に位置する係止あご部が形成されている容器に適用される合成樹脂製容器蓋であって、
円形天面壁及び該天面壁の周縁から垂下する円筒形スカート壁を有し、該スカート壁の内周面には該雄螺条に螺合せしめられる雌螺条が形成されている本体と、一対の非破断接続片及び複数個の破断橋絡部を介して該本体に接続され、内周面には該係止あご部に係止せしめられる係止手段が配設されているタンパーエビデント裾部とを含み、
該スカート壁には下方に突出する突出片が形成され、該タンパーエビデント裾部には該突出片の突出端部を受け入れる、上方に開放された切欠が形成され、該一対の非破断接続片は該突出片に隣接してその周方向両側に配置され、該複数個の破断橋絡部は少なくとも該突出片及び該一対の非破断接続片が存在する領域以外の領域に周方向に間隔をおいて配置され、該一対の非破断接続片の各々は該タンパーエビデント裾部に対して該本体が上方に移動せしめられると鉛直線に対する傾斜角度が漸次減少せしめられる傾動部を有し、
該タンパーエビデント裾部の内周面に配設された該係止手段は、周方向に間隔をおいて半径方向内方及び上方に延出する複数個の弧状係止片或いは周方向に連続して延在し且つ半径方向内方及び上方に延出する環状係止片から構成されている、合成樹脂製容器蓋において、
該突出片が配設されている角度位置において、該弧状係止片或いは該環状係止片の少なくとも延出端部は厚さが低減せしめられていて、該複数個の破断橋絡部が破断されて該本体が該口頸部から離脱せしめられた後に該本体が該タンパーエビデント裾部に対して旋回せしめられる際の、該突出片に対する該弧状係止片或いは該環状係止片の干渉が低減乃至回避せしめられている、ことを特徴とする合成樹脂製容器蓋。
【請求項２】
該弧状係止片或いは環状係止片の少なくとも延出端部は延出端に向かって厚さが漸次低減せしめられている、請求項１記載の合成樹脂製容器蓋。
【発明の詳細な説明】
【技術分野】
【０００１】
本発明は、容器の口頸部を開封した後においても容器蓋の全体が容器から分離されることがない型のタンパーエビデント特性を備えた合成樹脂製容器蓋、更に詳しくは本体とこの本体に一対の非破断接続片及び複数個の破断橋絡部を介して接続されたタンパーエビデント裾部とを含み、橋絡部が破断されて本体が容器の口頸部から離脱されても、容器の口頸部に装着され続けるタンパーエビデント裾部に非破断接続片を介して本体が接続され続ける型の合成樹脂製容器蓋に関する。
【背景技術】
【０００２】
口頸部の外周面には雄螺条及びこの雄螺条の下方に位置する係止あご部が形成されている容器に適用される、タンパーエビデント特性を備えた合成樹脂製容器蓋として、下記特許文献１には、円形天面壁及びこの天面壁の周縁から垂下する円筒形スカート壁を有し、スカート壁の内周面には雄螺条に螺合せしめられる雌螺条が形成されている本体と、一対の非破断接続片及び複数個の破断橋絡部を介して本体に接続され、内周面には係止あご部に係止せしめられる係止手段が配設されているタンパーエビデント裾部とを含む合成樹脂製容器蓋が開示されている。スカート壁には下方に突出する突出片が形成され、タンパーエビデント裾部には該突出片の突出端部を受け入れる切欠が形成され、一対の非破断接続片は突出片に隣接してその周方向両側に配置され、複数個の破断橋絡部は少なくとも突出片及び一対の非破断接続片が存在する領域以外の領域に周方向に間隔をおいて配置されている。一対の非破断接続片の各々はタンパーエビデント裾部に対して本体が上方に移動せしめられると鉛直線に対する傾斜角度が漸次減少せしめられる傾動部を有する。
【０００３】
容器の口頸部を開封する際には、本体を開方向に回転せしめて雄螺条に対する雌螺条の螺合を漸次解除する。かくすると、本体は口頸部に対して漸次上昇されるが、タンパーエビデント裾部は係止手段が口頸部の係止あご部に係止せしめられる故に上昇が阻止され、従って破断橋絡部に応力が生成されて破断橋絡部が破断される。一方、非破断接続片は傾動部の傾斜角度が漸次減少せしめられるが破断されることはない。従って、本体が容器の口頸部から離脱されても、口頸部に装着され続けているタンパーエビデント裾部に一対の非破断接続片を介して本体が接続され続ける。容器の口頸部から本体を変位せしめるために、一対の非破断接続片の所定部位を旋回中心としてタンパーエビデント裾部に対して本体を旋回せしめると、本体に配設されている突出片は、口頸部の係止あご部を弾性的に乗り越え、これによって本体は旋回されて口頸部上から変位した位置に保持される。突出片が弾性的に変形して係止あご部を乗り越え、次いで弾性的に復元する際には音が生成される。
【先行技術文献】
【特許文献】
【０００４】
【特許文献１】特開２０１０−１８２９０号公報
【発明の概要】
【発明が解決しようとする課題】
【０００５】
本発明者の経験によれば、上述したとおりの従来の合成樹脂製容器蓋には次のとおりの解決すべき問題が存在する。容器の口頸部から離脱せしめられた本体をタンパーエビデント裾部に対して旋回せしめる際に、突出片が係止あご部を乗り越えるのに先立って、タンパーエビデント裾部の内周面に配設されている係止手段（この係止手段は周方向に間隔をおいて半径方向内方及び上方に延出する複数個の弧状係止片或いは周方向に連続して延在し且つ半径方向内方及び上方に延出する環状係止片から構成されている）に当接し、次いで係止手段を乗り越えることに起因して、音が生成される。本体が口頸部の係止あご部を乗り越えて所用位置まで旋回されたときに生成される音は、本体が所要位置まで旋回されたことを消費者に認知せしめるので好ましいが、本体を所要位置まで旋回せしめる途中で音が生成されることは、消費者が例えば本体の旋回が完了したと誤認してしまい、音が生成された時点で消費者が本体の旋回を中断してしまう等の傾向があり、好ましくない。
【０００６】
本発明は上記事実に鑑みてなされたものであり、その主たる技術的課題は、容器の口頸部から離脱せしめられた本体をタンパーエビデント裾部に対して旋回せしめる際に、突出片が係止あご部を乗り越えるのに先立って、タンパーエビデント裾部の内周面に配設されている係止手段の存在に起因して音が生成されるのを抑制乃至回避して、従来の容器蓋に存在する上述したとおりの問題を解決することである。
【課題を解決するための手段】
【０００７】
本体を旋回せしめる際に突出片が係止手段に当接するのを回避するためには、突出片が存在する角度位置において係止手段を省略することが意図され得る。しかしながら、突出片が存在する角度位置においてはタンパーエビデント裾部の突出片の突出端部を受け入れる切欠が形成されている故に、タンパーエビデント裾部の軸線方向寸法が局部的に低減せしめられ、従ってタンパーエビデント裾部の強度が局部的に低減せしめられており、係止手段を省略するとタンパーエビデント裾部の局部的強度低減が助長されてしまう。そこで、本発明においては、突出片が存在する角度位置において、弧状係止片或いは環状係止片の少なくとも延出端部の厚さを低減せしめて、タンパーエビデント裾部の局部的強度低減を可及的に抑制して係止手段が突出片に干渉する度合いを低減するか或いは干渉するのを回避し、かくして係止手段が突出片を乗り越える際に音が発生するのを抑制乃至回避する。
【０００８】
即ち、本発明によれば、上記主たる技術的課題を達成する合成樹脂製容器蓋として、口頸部の外周面には雄螺条及び該雄螺条の下方に位置する係止あご部が形成されている容器に適用される合成樹脂製容器蓋であって、
円形天面壁及び該天面壁の周縁から垂下する円筒形スカート壁を有し、該スカート壁の内周面には該雄螺条に螺合せしめられる雌螺条が形成されている本体と、一対の非破断接続片及び複数個の破断橋絡部を介して該本体に接続され、内周面には該係止あご部に係止せしめられる係止手段が配設されているタンパーエビデント裾部とを含み、
該スカート壁には下方に突出する突出片が形成され、該タンパーエビデント裾部には該突出片の突出端部を受け入れる、上方に開放された切欠が形成され、該一対の非破断接続片は該突出片に隣接してその周方向両側に配置され、該複数個の破断橋絡部は少なくとも該突出片及び該一対の非破断接続片が存在する領域以外の領域に周方向に間隔をおいて配置され、該一対の非破断接続片の各々は該タンパーエビデント裾部に対して該本体が上方に移動せしめられると鉛直線に対する傾斜角度が漸次減少せしめられる傾動部を有し、
該タンパーエビデント裾部の内周面に配設された該係止手段は、周方向に間隔をおいて半径方向内方及び上方に延出する複数個の弧状係止片或いは周方向に連続して延在し且つ半径方向内方及び上方に延出する環状係止片から構成されている、合成樹脂製容器蓋において、
該突出片が配設されている角度位置において、該弧状係止片或いは該環状係止片の少なくとも延出端部は厚さが低減せしめられていて、該複数個の破断橋絡部が破断されて該本体が該口頸部から離脱せしめられた後に該本体が該タンパーエビデント裾部に対して旋回せしめられる際の、該突出片に対する該弧状係止片或いは該環状係止片の干渉が低減乃至回避せしめられている、ことを特徴とする合成樹脂製容器蓋が提供される。
【０００９】
該弧状係止片或いは環状係止片の少なくとも延出端部は延出端に向かって厚さが漸次低減せしめられているのが好ましい。
【発明の効果】
【００１０】
本発明の合成樹脂製容器蓋においては、突出片が配設されている角度位置において、弧状係止片或いは環状係止片を省略することなく、弧状係止片或いは環状係止片の延出端部の厚さを低減している故に、タンパーエビデント裾部の局部的強度低減の助長が可及的に回避される。一方、複数個の破断橋絡部が破断されて本体が口頸部から離脱せしめられた後に本体がタンパーエビデント裾部に対して旋回せしめられる際の、突出片に対する弧状係止片或いは環状係止片の干渉が回避せしめられ、それ故に突出片が係止あご部を乗り越えるのに先立って、タンパーエビデント裾部の内周面に配設されている係止手段の存在に起因して音が生成されることはない。
【図面の簡単な説明】
【００１１】
【図１】本発明に従って構成された容器蓋の好適実施形態を示す正面図。
【図２】図１の容器蓋の、一部を断面で示す背面図。
【図３】図１の容器蓋の底面図。
【図４】図１の容器蓋を容器の口頸部に装着した状態を、一部を断面で示す正面図。
【図５】図１の容器蓋の本体を容器の口頸部から離脱せしめるために本体を開方向に回転せしめて上昇せしめた開封操作中間状態を示す正面図。
【図６】図１の容器蓋の本体を、口頸部から離脱した後にタンパーエビデント裾部に対して幾分か旋回せしめた状態を示す断面図。
【図７】図６の状態における突出片近傍の拡大断面図。
【図８】図１の容器蓋の本体を容器の口頸部から離脱した後にタンパーエビデント裾部に対して所定位置まで旋回した状態を示す断面図。
【図９】図８の状態における突出片近傍の拡大断面図。
【発明を実施するための形態】
【００１２】
以下、添付図面を参照して、本発明に従って構成された合成樹脂製容器蓋の好適実施形態について、更に詳述する。
【００１３】
本発明に従って構成された合成樹脂製容器蓋の好適実施形態を図示している図１乃至図３を参照して説明すると、ポリエチレン又はポリプロピレンの如き適宜の合成樹脂から射出成形又は圧縮成形によって好都合に一体成形することができる、全体を番号２で示す容器蓋は、本体４とタンパーエビデント裾部６とを含んでいる。本体４は円形天面壁８とこの天面壁８の周縁から垂下する円筒形状のスカート壁１０を有する。天面壁８の内面には２条のシール突条、即ち内側環状突条１２及び外側環状突条１４が形成されている。スカート壁１０の外周面にはそこに掛けられる指の滑りを防止するための凹凸１６が繰り返し形成されている。スカート壁１０の内周面には雌螺条１８が形成されている。この雌螺条１８には周方向に間隔をおいて切欠２０が形成されている。タンパーエビデント裾部６は全体として円筒形状であり、後述する破断橋絡部及び一対の非破断接続片を介して本体４のスカート壁１０に接続されている。タンパーエビデント裾部６の内周面には係止手段２２が配設されている。図示の実施形態において、係止手段２２は周方向に間隔をおいて形成された６個の弧状係止片２４ａ乃至２４ｆから構成されている。弧状係止片２４ａ乃至２４ｆの各々は、タンパーエビデント裾部６の内周面から半径方向内方及び軸線方向上方に延出せしめられている。弧状係止片２４ａ乃至２４ｆの各々には、周方向中間部位に延出端縁から弧状係止片の基端部方向に延びるスリット２６が形成されている。図示の実施形態において係止手段２２は６個の弧状係止片２４ａ乃至２４ｆから構成されているが、所望ならば周方向に連続して延在し半径方向内方及び上方に延出する環状係止片から係止手段を構成することもできる。
【００１４】
図１乃至図３を参照して説明を続けると、番号２８で示す領域において、本体４のスカート壁１０の下端縁は他の領域の下端縁よりの上方に変位せしめられており、またタンパーエビデント裾部６の上端縁は他の領域の上端縁よりも下方に変位せしめられており、スカート壁１０とタンパーエビデント裾部６との間には正面図において横長に延びる開口３０が生成されている。開口３０の周方向中央部において、スカート壁１０にはその下端から下方に突出する略矩形状の突出片３２が形成されている。図１と共に図７を参照することによって明確に理解される如く、突出片３２は実質上垂直に垂下し、次いで半径方向外方に若干変位した後に実質上鉛直に垂下しており、その外面には段部３４が形成されている。突出片３２に対応して、タンパーエビデント裾部６には突出片３２の突出端部を受け入れる、上方に開放した切欠３６が形成されている。この切欠３６により、後述するとおりにして口頸部５２を開封する際に、突出片３２の旋回がタンパーエビデント裾部６によって妨げられることがない。
【００１５】
図１及び図２に明確に図示するとおり、上記開口３０内には、更に、上記突出片３２に隣接してその周方向両側に一対の非破断接続片３８ａ及び３８ｂが配設されている。図示の実施形態における非破断接続片３８ａは、スカート壁１０の下端縁に接続された上端部４０ａ、この上端部４０ａに続いて周方向片側（図１及び図２において右側）に実質上水平に延びる第一の傾動部４２ａ、中間部４４ａ、中間部４４ａに続いて第一の傾動部４２ａの下方で周方向他側（図１及び図２において左側）に実質上水平に延びる第二の傾動部４６ａ及びタンパーエビデント裾部６に接続された下端部４８ａから構成されている。非破断接続片３８ｂは、スカート壁１０の下端縁に接続された上端部４０ｂ、この上端部４０ｂに続いて周方向片側（図１及び図２において左側）に幅狭な連結部４２ｂ、中間部４４ｂ、中間部４４ｂに続いて連結部４２ｂの下方で周方向他側（図１及び図２において右側）に実質上水平に延びる第二の傾動部４６ｂ及びタンパーエビデント裾部６に接続された下端部４８ｂから構成されている。所望ならば、非破断接続片３８ａにおける第一の傾動部４２ａ及び第二の傾動部４６ａ並びに非破断接続片３８ｂにおける第二の傾動部４６ｂを実質上水平ではなく所定方向に傾斜せしめることもできる。図示の実施形態においては、非破断接続片３８ａと非破断接続片３８ｂとは線対称ではなく、構成要素の周方向寸法が幾分相違せしめられているが、その理由については特開２０１２−７６７７１号明細書の記載を参照されたい。
【００１６】
番号２８で示す領域即ち突出片３２並びに一対の非破断接続片３８ａ及び３８ｂが存在する領域以外の領域には、タンパーエビデント裾部６を本体４のスカート壁１０の下端に接続する複数個の破断橋絡部５０が周方向に間隔をおいて複数個、例えば６個、配設されている。破断橋絡部５０の各々は周知の形態でよい。所望ならば、一対の非破断接続片３８ａ及び３８ｂが存在する領域においても、例えば第一の傾動部４２ａ及び連結部４２ｂ或いは第二の傾動部４６ａ及び４６ｂとスカート壁１０の下端との間に破断橋絡部５０を配設することもできる。
【００１７】
本発明においては上記突出片３２が存在する角度位置において弧状係止片２４ａ（或いは環状係止片）の少なくとも延出端部の厚さが低減せしめられていることが重要である。図示の実施形態においては、図７及び図９から明確に理解されるとおり突出片３２が配置されている角度位置に位置する弧状係止片２４ａにおいて、スリット２６が存在する基端部を除き、弧状係止片２４ａの厚さが延出端に向かって漸次減少せしめられている（その理由については後に詳述する）。図示の実施形態においては、図２及び図３において符号Ａに示す領域においてのみ弧状突出片２４ａの厚さが低減されているが、所望ならば弧状突出片２４ａの周方向全体に渡って厚さを低減することもできる。また、厚さを漸次減少せしめることに変えて、弧状突出片２４aの少なくとも延出端部の厚さを低減された一定厚さにすることもできる。
【００１８】
図４には、容器蓋２と共に容器の口頸部５２も図示されている。ポリエチレンテレフタレートの如き適宜の合成樹脂或いはガラスから形成することができる容器の口頸部５２は全体として円筒形状であり、その上面は開口されている。口頸部５２の外周面には、雄螺条５４とこの雄螺条５４の下方に位置する係止あご部５６が形成されている。
【００１９】
口頸部５２に容器蓋２を装着して口頸部５２を密封する際には、口頸部５２に容器蓋２を被嵌して閉方向（図４において上方から見て時計方向）に回転せしめ、口頸部５２の雄螺条５４に容器蓋２の雌螺条１８を螺合せしめる。雄螺条５４に対する雌螺条１８の螺合の進行に応じて容器蓋２は口頸部５２に対して漸次下降する。図４に図示する状態まで口頸部５２に対して容器蓋２が下降せしめられると、容器蓋２の本体４における天面壁８の内面に形成されている内側環状突条１２及び外側環状突条１４が夫々口頸部５２の内周面及び外周面に密接せしめられ、これによって口頸部５２が密封される。容器蓋２のタンパーエビデント裾部６の内周面に配設されている係止手段２２は口頸部５２の係止あご部５６を弾性的に乗り越えて、係止あご部５６の下面に係止せしめられる。
【００２０】
口頸部５２を開封する際には、容器蓋２を開方向（図４において上方から見て反時計方向）に回転せしめ、口頸部５２の雄螺条５４に対する容器蓋２の雌螺条１８の螺合を漸次解除する。螺合を漸次解除すると容器蓋２の本体４は開方向に回転せしめられると共に上昇せしめられるが、タンパーエビデント裾部６は係止手段２２が口頸部５２の係止あご部５６に係止しているので上昇が阻止され、これに起因して破断橋絡部５０に相当な応力が生成され、破断橋絡部５０が破断される。しかる後においては、容器蓋２の本体４は開方向への回転と共に上昇し、タンパーエビデント裾部６から上方に漸次離間せしめられる。図４と共に図５を参照することによって明確に理解される如く、タンパーエビデント裾部６から本体４が漸次上方に離間せしめられると、非破断接続片３８ａの第一の傾動部４２ａ及び非破断接続片３８ｂの第二の傾動部４６ｂは夫々の中間部４４ａ及び第二の傾動部４６ｂの下端を中心として図４及び図５において時計方向に旋回、即ち時計方向に傾動され、一方非破断接続片３８ａの第二の傾動片４６ａ及び非破断接続片３８ｂの連結部４２ｂは夫々の下端及び上端を中心として図４及び図５において反時計方向に旋回、即ち反時計方向に傾動され、これに応じて非破断接続片３８ａ及び３８ｂにおける第一の傾動部４２ａ及び第二の傾動部４６ｂの鉛直線に対する傾斜角度が漸次低減される。図４及び図５と共に図６を参照することによって明確に理解される如く、口頸部５２の雄螺条５４に対する容器蓋２の雌螺条１８の螺合が完全に解除されると、容器蓋２の本体４は口頸部５２から離脱される。しかしながら、本体４は非破断接続片３８ａ及び３８ｂを介して、口頸部５２に装着され続けているタンパーエビデント裾部６に接続され続けている故に、容器の口頸部５２から離間されることはない。
【００２１】
容器蓋２の本体４が口頸部５２から離脱された後においては、非破断接続片３８ａ及び３８ｂをヒンジ支点として本体４を口頸部５２から遠ざかる方向に旋回する。この際、図６及び図７に示すとおり、突出片３２は、その延出端の内面が容器の係止あご部５６の下面に対向する位置まで、容器の口頸部５２に近づく方向に旋回する。而して、本発明に従って構成された容器蓋２においては、弧状係止片２４ａの少なくとも延出端部の厚さが低減せしめられている故に、旋回せしめられる突出片３２に対して弧状係止片２４ａが突出片３２に干渉せしめられる度合いが低減されるか或いは干渉せしめられることが回避される。それ故に突出片３２が係止あご部５６を乗り越えるのに先立って、タンパーエビデント裾部６の内周面に配設されている係止手段２２の存在に起因して音が生成されることが抑制乃至回避される。図示の実施形態においては、突出片３２の周方向中間部に対応した位置にスリット２６が配設されており、これに起因して突出片３２が弧状係止片２４ａを乗り越える抵抗が低減され、これによっても音の発生が抑制乃至回避される。図７に二点鎖線で示すとおり、弧状係止片２４ａの少なくとも延出端部の厚さが低減されることなく、他の弧状係止片２４ｂ乃至２４ｆと同様な形状（先端に向かって漸次厚さが増大されている状態）の場合には突出片３２が旋回せしめられる際に、突出片３２が弧状係止片２４ａに干渉されて弾性変形し、弧状係止片２４ａから離隔する際に音が発生される。
【００２２】
本体４を図８及び図９に図示する状態まで旋回せしめると、突出片３２は口頸部５２の係止あご部５６を弾性的に乗り越え、次いで弾性的に復元し係止あご部５６上方に当接し、突出片３２の外面に形成されている段部３４或いは突出片３２の外面先端部が係止あご部５６の上面に係止せしめられる。かくして本体４は図８に図示する位置に保持され、これによって本体４は図８に図示する位置に解除自在に保持される。従って、消費者は本体４の存在によって阻害されることなく、容器内に存在する清涼飲料の如き内容物を飲食することができる。突出片３２が係止あご部５６を乗り越えて弾性的に復元する際には音が生成され、これによって消費者は本体４が所要位置まで旋回されたことを認知することができる。
【００２３】
内容物の飲食を途中で中断した場合には、図８に図示する位置に保持されている本体４を口頸部５２に接近する方向に旋回せしめて再び口頸部５２に被嵌し、そして容器蓋２を閉方向に回転せしめて口頸部５２の雄螺条５４に容器蓋２の雌螺条１８を螺合せしめ、かくして容器蓋２を再び図４に図示する状態に位置せしめ、口頸部５２を仮密封することができる。
【符号の説明】
【００２４】
２：容器蓋
４：本体
６：タンパーエビデント裾部
８：天面壁
１０：スカート壁
１８：雌螺条
２２：係止手段
２４ａ：弧状係止片
２４ｂ：弧状係止片
２４ｃ：弧状係止片
２４ｄ：弧状係止片
２４ｅ：弧状係止片
２４ｆ：弧状係止片
３２：突出片
３８ａ：非破断接続片
３８ｂ：非破断接続片
５０：破断橋絡部
５２：口頸部
５４：雄螺条
５６：係止あご部
【図１】
2014031202.tif 000003
【図２】
2014031202.tif 000004
【図３】
2014031202.tif 000005
【図４】
2014031202.tif 000006
【図５】
2014031202.tif 000007
【図６】
2014031202.tif 000008
【図７】
2014031202.tif 000009
【図８】
2014031202.tif 000010
【図９】
2014031202.tif 000011